(57)【要約】【課題】  本発明は、銀行券、株券、債券等の有価証券、各種証明書及び重要書類等の偽造防止又は複製防止が必要とされる偽造防止印刷物に関するものである。【解決手段】  可視画像と少なくとも一つの不可視画像を備えた偽造防止用印刷物であって、一般的な色材によって形成された不可視画像要素と、不可視画像を可視画像内で不可視化する隠蔽要素と可視画像要素を備えたユニットが規則的に複数形成されることで、可視光下で観察される可視画像と、印刷物に判別具を重ねることで観察される不可視画像を少なくとも有することを特徴とする偽造防止用印刷物である。【選択図】図１
2015116708.tif 000002
【特許請求の範囲】
【請求項１】
基材の少なくとも一部に、第１の要素及び第３の要素を有する第１のユニットと、第２の要素及び前記第３の要素を有する第２のユニットが規則的に所定のピッチで複数マトリクス状に形成された印刷領域を有し、
前記第１のユニットは、第１の方向に沿う同一線上に形成された前記第１の要素と、前記第１の方向に沿う同一線上からずれた位置に形成された前記第３の要素を有し、
前記第２のユニットは、前記第１のユニットと同位置に形成された前記第３の要素と、前記第３の要素が存在しない領域に形成された前記第２の要素を有し、
前記第１の要素は、前記第１のユニットにおける前記第３の要素が形成された領域を除く１０〜４０％の面積に高濃度の要素によって形成され、
前記第２の要素は、前記第２のユニットにおける前記第３の要素が形成された領域を除く５０〜１００％の面積に、前記第１のユニットに形成された前記第１の要素と等色として観察される前記第１の要素より低濃度の要素で形成され、
前記第１の要素によって第１の不可視画像の画像部が形成され、前記第２の要素によって前記第１の不可視画像の背景部が形成され、前記第３の要素によって可視画像が形成されたことを特徴とする偽造防止印刷物。
【請求項２】
前記第３の要素は、要素の大小、要素の濃淡又は要素の粗密から選択される少なくとも一つの方法によって連続階調を有する可視画像が形成されたことを特徴とする請求項１記載の偽造防止印刷物。
【請求項３】
前記第１の要素及び前記第２の要素の色相が同系色であることを特徴とする請求項１又は２記載の偽造防止印刷物。
【請求項４】
基材の少なくとも一部に、第１の要素、第３の要素及び第５の要素を有する第１のユニットと、第２の要素、前記第３の要素及び第４の要素を有する第２のユニットと、第６の要素及び前記第３の要素を有する第３のユニットと、第７の要素及び前記第３の要素を有する第４のユニットが規則的に所定のピッチで複数マトリクス状に形成された印刷領域を有し、
前記第１のユニットは、第１の方向に沿う同一線上に形成された前記第１の要素と、前記第１の方向に沿う同一線上からずれた位置に形成された前記第３の要素と、前記第１の要素及び前記第３の要素が存在しない領域に形成された前記第５の要素を有し、
前記第２のユニットは、前記第１の方向と異なる第２の方向に沿う同一線上に形成された前記第４の要素と、前記第１のユニットと同位置に形成された前記第３の要素と、前記第４の要素及び前記第３の要素が存在しない領域に形成された前記第２の要素を有し、
前記第３のユニットは、前記第１の要素が形成された領域と前記第４の要素が形成された領域に形成された前記第６の要素と、前記第１のユニットと同一に形成された前記第３の要素を有し、
前記第４のユニットは、前記第１のユニットと同位置に形成された前記第３の要素が存在しない位置に形成された前記第７の要素を有し、
前記第１の要素は、前記第１のユニットにおける前記第３の要素が形成された領域を除く１０〜３０％の面積に高濃度の要素によって形成され、
前記第２の要素は、前記第２のユニットにおける前記第３の要素が形成された領域を除く５０〜９０％の面積に、前記第１のユニットに形成された前記第１の要素と等色として観察される前記第１の要素より低濃度の要素で形成され、
前記第４の要素は、前記第２のユニットにおける前記第３の要素が形成された領域を除く１０〜３０％の面積に高濃度の要素によって形成され、
前記第５の要素は、前記第１のユニットにおける前記第３の要素が形成された領域を除く５０〜９０％の面積に、前記第２のユニットに形成された前記第４の要素と等色として観察される前記第４の要素より低濃度の要素で形成され、
前記第６の要素は、前記３のユニットにおける前記第３の要素が形成された領域を除く２０〜６０％の面積にベタ状の要素によって形成され、
前記第７の要素は、前記第４のユニットにおける前記第３の要素が形成された領域を除く７０〜１００％の面積に、前記第３のユニットに形成された前記第６の要素と等色として観察される前記第６の要素より低濃度の要素によって形成され、
前記第１の要素及び前記第６の要素の一部によって第１の不可視画像の画像部が形成され、前記第２の要素及び前記第７の要素によって前記第１の不可視画像の背景部が形成され、前記第４の要素及び前記第６の要素の一部によって第２の不可視画像の画像部が形成され、前記第５の要素及び前記第７の要素によって前記第２の不可視画像の背景部が形成され、前記第３の要素によって可視画像が形成されたことを特徴とする偽造防止印刷物。
【請求項５】
前記第３の要素は、要素の大小、要素の濃淡又は要素の粗密から選択される少なくとも一つの方法によって連続階調を有する可視画像が形成されたことを特徴とする請求項４記載の偽造防止印刷物。
【請求項６】
前記第１の要素及び前記第２の要素の色相が同系色であることを特徴とする請求項４又は５記載の偽造防止印刷物。
【請求項７】
前記第４の要素及び前記第５の要素の色相が同系色であることを特徴とする請求項４乃至６のいずれか一項に記載の偽造防止印刷物。
【請求項８】
前記第６の要素及び前記第７の要素の色相が同系色であることを特徴とする請求項４乃至７のいずれか一項に記載の偽造防止印刷物。
【請求項９】
前記第１の要素及び前記第２の要素と、前記第４の要素及び前記第５の要素が同系色又は異なる色であることを特徴とする請求項４乃至８のいずれか一項に記載の偽造防止印刷物。
【請求項１０】
基材の少なくとも一部に、第１の要素、第３の要素及び第５の要素を有する第１のユニットと、第２の要素、前記第３の要素及び第４の要素を有する第２のユニットと、前記第１の要素、前記第３の要素及び前記第４の要素を有する第３のユニットと、前記第２の要素、前記第３の要素及び前記第５の要素を有する第４のユニットが規則的に所定のピッチで複数マトリクス状に形成された印刷領域を有し、
前記第１のユニットは、第１の方向に沿う第１の位相上に形成された前記第１の要素と、前記第１の方向に沿う前記第１の位相とずれた第２の位相上に形成された前記第５の要素と前記第１の位相及び前記第２の位相からずれた位置に形成された前記第３の要素を有し、
前記第２のユニットは、前記第１の位相上に形成された前記第２の要素と、前記第２の位相上に形成された前記第４の要素と、前記第１の位相及び前記第２の位相からずれた位置に形成された前記第３の要素を有し、
前記第３のユニットは、前記第１の位相上に形成された前記第１の要素と、前記第２の位相上に形成された前記第４の要素と、前記第１の位相及び前記第２の位相からずれた位置に形成された前記第３の要素を有し、
前記第４のユニットは、前記第１の位相上に形成された前記第２の要素と、前記第２の位相上に形成された前記第５の要素と、前記第１の位相及び前記第２の位相からずれた位置に形成された前記第３の要素を有し、
前記第１の要素は、前記第１のユニットにおける前記第３の要素が形成された領域を除く１０〜３０％の面積にベタ状の要素によって形成され、
前記第２の要素は、前記第２のユニットにおける前記第３の要素が形成された領域を除く３０〜５０％の面積に、前記第１のユニットに形成された前記第１の要素と等色として観察される前記第１の要素より低濃度の要素で形成され、
前記第４の要素は、前記第２のユニットにおける前記第３の要素が形成された領域を除く１０〜３０％の面積にベタ状の要素によって形成され、
前記第５の要素は、前記第１のユニットにおける前記第３の要素が形成された領域を除く３０〜５０％の面積に、前記第２のユニットに形成された前記第４の要素と等色として観察される前記第４の要素より低濃度の要素で形成され、
前記第１の要素によって第１の不可視画像の画像部が形成され、前記第２の要素によって前記第１の不可視画像の背景部が形成され、前記第４の要素によって第２の不可視画像の画像部が形成され、前記第５の要素によって前記第２の不可視画像の背景部が形成され、前記第３の要素によって可視画像が形成されたことを特徴とする偽造防止印刷物。
【請求項１１】
前記第３の要素は、要素の大小、要素の濃淡又は要素の粗密から選択される少なくとも一つの方法によって連続階調を有する可視画像が形成されたことを特徴とする請求項１０記載の偽造防止印刷物。
【請求項１２】
前記第１の要素及び前記第２の要素の色相が同系色であることを特徴とする請求項１０又は１１記載の偽造防止印刷物。
【請求項１３】
前記第４の要素及び前記第５の要素の色相が同系色であることを特徴とする請求項１０乃至１２のいずれか一項に記載の偽造防止印刷物。
【請求項１４】
前記第６の要素及び前記第７の要素の色相が同系色であることを特徴とする請求項１０乃至１３のいずれか一項に記載の偽造防止印刷物。
【請求項１５】
前記第１の要素及び前記第２の要素と、前記第４の要素及び前記第５の要素が同系色又は異なる色であることを特徴とする請求項１０乃至１４のいずれか一項に記載の偽造防止印刷物。
【発明の詳細な説明】
【技術分野】
【０００１】
本発明は、銀行券、郵券、有価証券をはじめ、各種証明書や重要書類等の偽造防止又は複製防止が必要とされる偽造防止印刷物に関するものである。
【背景技術】
【０００２】
一般的に、銀行券等の有価証券や各種証明書等の重要書類は、偽造防止効果を与えるためにさまざまな技術が適用されているが、近年、カラー複写機の高画質化及びカラー製版技術のコンピュータ化に伴い、それらの偽造技術が多様化する傾向にあり、対する偽造防止策も高度化することによって対応してきた。しかし、その一方で、偽造防止策に費やす製造コストも上がり、偽造防止効果を確認するための環境を得るために特殊な機械器具からなる専用設備を導入する等、真偽判別手段において高コストとなる場合があった。
【０００３】
また、銀行券等に加え、郵券及び印紙類等の比較的に小さいサイズの印刷物に対する偽造が繰り返し発生している。これらの印刷物は、小さいサイズであるが故に付与することができる偽造防止技術も制限され、高度な偽造防止技術を付与することができず、かつ、見た目の美しさ及び精細さといった小さいサイズの印刷物そのものの商品的価値と偽造防止技術の共存も困難なところであった。
【０００４】
カラー複写機等のデジタル機器を用いた偽造行為を防止する方法としては、特殊な材料を用いる方法や印刷物をカラー複写機等で複製した場合に、一部の画線が消失又は変色することで偽造品を排除する技術等がある。これらの特殊な材料を用いる方法では、材料に起因する偽造防止技術であることから、製造コストが嵩むものの、同様の効果を再現する材料を用いることで、偽造されることがある。特殊な材料を用いる方法の代表例として、赤外線透過吸収ペアインキを用いた印刷物や発光材料を用いた技術があげられるが、これらの技術は、特殊な材料が必要となるとともに、偽造防止効果を確認するための環境を得るために特殊な機械器具からなる専用設備を導入する等、真偽判別手段において高コストとなる。
【０００５】
また、カラーコピー機等の複写機で複製した場合に発現する画線の消失効果又は色変化効果を得る技術の代表例として、網点の粗密又は画線の太細によって複写機で再現されない網点又は画線を形成する技術や、メタメリックな性質を有する色材を用いた印刷物を代表例として挙げることができるが、これらの技術は、カラー複写機の性能によって再現される複写防止効果が左右されることから、全ての複写機において同様の効果を得ることが困難である。
【０００６】
そこで、本出願人は、特殊な材料等を用いることなく、一般的な色材を用いて形成された等色及び同一面積の画線を形成可能な複数のユニットを規則的に一定ピッチで形成し、各々のユニット内において中心を境に対抗するように配置された一対の画線のいずれか一方に画線を配置する、いわゆる、ネガポジの関係で画線を形成することで、判別具を重ねて観察すると可視画像が消失し、不可視画像が発現する印刷物について出願している（例えば、特許文献１参照）。
【０００７】
また、本出願人は、特許文献１の改良発明として、特許文献１で開示した印刷画線を無色又は淡色の発光インキで形成することで、可視光下では観察されないか、又は淡い可視画像が観察されるが、可視光下で判別部を重ねて観察しても不可視画像は観察されず、発光インキに励起光を照射した状態で判別具を重ねて観察することで不可視画像が発現する印刷物について出願している（例えば、特許文献２参照）。
【先行技術文献】
【特許文献】
【０００８】
【特許文献１】特許第４６３５１６０号公報
【特許文献２】特許第５０５０２８７号公報
【発明の概要】
【発明が解決しようとする課題】
【０００９】
しかしながら、特許文献１の印刷物は、不可視画像を形成するネガポジの画線の位相を変調することでポジ画線によって不可視画像のポジ画像又はネガ画像を形成し、ネガ画線によって不可視画像のネガ画像又はポジ画像を形成するため、不可視画像を形成する画線の位置関係によっては、可視光下でも不可視画像がうっすらと可視化されるという課題が残されていた。
【００１０】
また、特許文献１の発明は、可視画像と不可視画像の視認性を重視していることから、カラー複写機で複製した偽造品についても、判別具を重ねて観察することで真正品と同等の不可視画像が観察されることから、複写防止効果の向上が求められていた。
【００１１】
また、特許文献２の印刷物は、淡い色の色材によって不可視画像を形成していることから不可視画像が可視化されることはなく、かつ、カラー複写機等で複製した場合であっても、発光材料を用いることで初めて不可視画像を発現させるものであることから、複写防止効果も備えているものの、真偽判別時の動作が複雑であるという課題が残されていた。
【００１２】
さらに、特許文献２の印刷物は、不可視画像を形成する色材に発光材料を用いていることから材料コストが嵩むこと、発光画像を観察するために、暗い部屋等で観察しなければ不可視画像の視認性が劣るという課題が残されていた。
【００１３】
本発明は、前述した課題にかんがみ創出されたものであり、一般的な色材を用いた印刷物であり、不可視画像の隠蔽性に優れ、かつ、複写防止効果を有する偽造防止印刷物に関するものである。
【課題を解決するための手段】
【００１４】
本発明の偽造防止印刷物は、基材の少なくとも一部に、第１の要素及び第３の要素を有する第１のユニットと、第２の要素及び第３の要素を有する第２のユニットが規則的に所定のピッチで複数マトリクス状に形成された印刷領域を有し、第１のユニットは、第１の方向に沿う同一線上に形成された第１の要素と、第１の方向に沿う同一線上からずれた位置に形成された第３の要素を有し、第２のユニットは、第１のユニットと同位置に形成された第３の要素と、第３の要素が存在しない領域に形成された第２の要素を有し、第１の要素は、第１のユニットにおける第３の要素が形成された領域を除く１０〜４０％の面積にベタ状の要素によって形成され、第２の要素は、第２のユニットにおける第３の要素が形成された領域を除く５０〜１００％の面積に、第１のユニットに形成された第１の要素と等色として観察される第１の要素より低濃度の要素で形成され、第１の要素によって第１の不可視画像の画像部が形成され、第２の要素によって第１の不可視画像の背景部が形成され、第３の要素によって可視画像が形成されたことを特徴とする偽造防止印刷物である。
【００１５】
また、本発明の偽造防止印刷物における第３の要素は、要素の大小、要素の濃淡又は要素の粗密から選択される少なくとも一つの方法によって連続階調を有する可視画像が形成されたことを特徴とする偽造防止印刷物である。
【００１６】
また、本発明の偽造防止印刷物は、第１の要素及び第２の要素の色相が同系色であることを特徴とする偽造防止印刷物である。
【００１７】
また、本発明の偽造防止印刷物は、基材の少なくとも一部に、第１の要素、第３の要素及び第５の要素を有する第１のユニットと、第２の要素、第３の要素及び第４の要素を有する第２のユニットと、第６の要素及び第３の要素を有する第３のユニットと、第７の要素及び第３の要素を有する第４のユニットが規則的に所定のピッチで複数マトリクス状に形成された印刷領域を有し、第１のユニットは、第１の方向に沿う同一線上に形成された第１の要素と、第１の方向に沿う同一線上からずれた位置に形成された第３の要素と、第１の要素及び第３の要素が存在しない領域に形成された第５の要素を有し、第２のユニットは、第１の方向と異なる第２の方向に沿う同一線上に形成された第４の要素と、第１のユニットと同位置に形成された第３の要素と、第４の要素及び第３の要素が存在しない領域に形成された第２の要素を有し、第３のユニットは、第１の要素が形成された領域と第４の要素が形成された領域に形成された第６の要素と、第１のユニットと同一に形成された第３の要素を有し、第４のユニットは、第１のユニットと同位置に形成された第３の要素が存在しない位置に形成された第７の要素を有し、第１の要素は、第１のユニットにおける第３の要素が形成された領域を除く１０〜３０％の面積にベタ状の要素によって形成され、第２の要素は、第２のユニットにおける第３の要素が形成された領域を除く５０〜９０％の面積に、第１のユニットに形成された第１の要素と等色として観察される第１の要素より低濃度の要素で形成され、第４の要素は、第２のユニットにおける第３の要素が形成された領域を除く１０〜３０％の面積にベタ状の要素によって形成され、第５の要素は、第１のユニットにおける第３の要素が形成された領域を除く５０〜９０％の面積に、第２のユニットに形成された第４の要素と等色として観察される第４の要素より低濃度の要素で形成され、第６の要素は、第３のユニットにおける第３の要素が形成された領域を除く２０〜６０％の面積にベタ状の要素によって形成され、第７の要素は、第４のユニットにおける第３の要素が形成された領域を除く７０〜１００％の面積に、第３のユニットに形成された第６の要素と等色として観察される第６の要素より低濃度の要素によって形成され、第１の要素及び第６の要素の一部によって第１の不可視画像の画像部が形成され、第２の要素及び第７の要素によって第１の不可視画像の背景部が形成され、第４の要素及び第６の要素の一部によって第２の不可視画像の画像部が形成され、第５の要素及び第７の要素によって第２の不可視画像の背景部が形成され、第３の要素によって可視画像が形成されたことを特徴とする偽造防止印刷物である。
【００１８】
また、本発明の偽造防止印刷物における第３の要素は、要素の大小、要素の濃淡又は要素の粗密から選択される少なくとも一つの方法によって連続階調を有する可視画像が形成されたことを特徴とする偽造防止印刷物である。
【００１９】
また、本発明の偽造防止印刷物は、第１の要素及び第２の要素の色相が同系色であることを特徴とする偽造防止印刷物である。
【００２０】
また、本発明の偽造防止印刷物は、第４の要素及び第５の要素の色相が同系色であることを特徴とする偽造防止印刷物である。
【００２１】
また、本発明の偽造防止印刷物は、第６の要素及び第７の要素の色相が同系色であることを特徴とする偽造防止印刷物である。
【００２２】
また、本発明の偽造防止印刷物は、第１の要素及び第２の要素と、第４の要素及び第５の要素が同系色又は異なる色であることを特徴とする偽造防止印刷物である。
【００２３】
また、本発明の偽造防止印刷物は、基材の少なくとも一部に、第１の要素、第３の要素及び第５の要素を有する第１のユニットと、第２の要素、第３の要素及び第４の要素を有する第２のユニットと、第１の要素、第３の要素及び第４の要素を有する第３のユニットと、第２の要素、第３の要素及び第５の要素を有する第４のユニットが規則的に所定のピッチで複数マトリクス状に形成された印刷領域を有し、第１のユニットは、第１の方向に沿う第１の位相上に形成された第１の要素と、第１の方向に沿う第１の位相とずれた第２の位相上に形成された第５の要素と第１の位相及び第２の位相からずれた位置に形成された第３の要素を有し、第２のユニットは、第１の位相上に形成された第２の要素と、第２の位相上に形成された第４の要素と、第１の位相及び第２の位相からずれた位置に形成された第３の要素を有し、第３のユニットは、第１の位相上に形成された第１の要素と、第２の位相上に形成された第４の要素と、第１の位相及び第２の位相からずれた位置に形成された第３の要素を有し、第４のユニットは、第１の位相上に形成された第２の要素と、第２の位相上に形成された第５の要素と、第１の位相及び第２の位相からずれた位置に形成された第３の要素を有し、第１の要素は、第１のユニットにおける第３の要素が形成された領域を除く１０〜３０％の面積にベタ状の要素によって形成され、第２の要素は、第２のユニットにおける第３の要素が形成された領域を除く３０〜５０％の面積に、第１のユニットに形成された第１の要素と等色として観察される第１の要素より低濃度の要素で形成され、第４の要素は、第２のユニットにおける第３の要素が形成された領域を除く１０〜３０％の面積にベタ状の要素によって形成され、第５の要素は、第１のユニットにおける第３の要素が形成された領域を除く３０〜５０％の面積に、第２のユニットに形成された第４の要素と等色として観察される第４の要素より低濃度の要素で形成され、第１の要素によって第１の不可視画像の画像部が形成され、第２の要素によって第１の不可視画像の背景部が形成され、第４の要素によって第２の不可視画像の画像部が形成され、第５の要素によって第２の不可視画像の背景部が形成され、第３の要素によって可視画像が形成されたことを特徴とする偽造防止印刷物である。
【００２４】
また、本発明の偽造防止印刷物における第３の要素は、要素の大小、要素の濃淡又は要素の粗密から選択される少なくとも一つの方法によって連続階調を有する可視画像が形成されたことを特徴とする偽造防止印刷物である。
【００２５】
また、本発明の偽造防止印刷物は、第１の要素及び第２の要素の色相が同系色であることを特徴とする偽造防止印刷物である。
【００２６】
また、本発明の偽造防止印刷物は、第４の要素及び第５の要素の色相が同系色であることを特徴とする偽造防止印刷物である。
【００２７】
また、本発明の偽造防止印刷物は、第６の要素及び第７の要素の色相が同系色であることを特徴とする偽造防止印刷物である。
【００２８】
さらに、本発明の偽造防止印刷物は、第１の要素及び第２の要素と、第４の要素及び第５の要素が同系色又は異なる色であることを特徴とする偽造防止印刷物である。
【発明の効果】
【００２９】
本発明の偽造防止印刷物は、一般的な色材のみを用いて不可視画像を形成するユニットと形成しないユニットの全ての濃度を一定に保つことができることから、材料に係るコストを低減することができるとともに、小さいサイズの印刷物であっても見た目の美しさ及び精細さを備え、かつ、不可視画像の隠蔽性が極めて高いという効果を奏する。
【００３０】
また、本発明の偽造防止印刷物は、カラー複写機等で複製した場合、不可視画像部が発現することで真正品の可視画像上に不可視画像が発現した状態として再現されるという、複写防止機能を合わせて備える印刷物であることから、偽造防止効果が向上するという効果を奏する。
【００３１】
さらに、本発明の偽造防止印刷物は、複数の不可視画像を形成する際に、各々の不可視画像ごとに異なる色の色材で形成することができることから、偽造防止抵抗力が極めて高い印刷物を得ることができる。
【図面の簡単な説明】
【００３２】
【図１】本発明の印刷物１と判別具２の一例を示す図
【図２】本発明の印刷物１を目視により観察したときに視認される可視画像４を示す図
【図３】印刷物１に所定の角度で判別具２を重ねて観察した際に視認される第１の不可視画像５を示す図
【図４】第１の実施の形態における印刷物１を複写機によって複写した複写物８を示す図
【図５】本発明の第１の実施の形態における最小単位のユニットを示す図
【図６】第１の実施の形態における最小単位のユニットの変形例を示す図
【図７】第１の実施の形態における最小単位のユニットがマトリクス状に形成された状態を示す図
【図８】第１の実施の形態における印刷物１にレンチキュラーレンズ２を重ねて観察した状態を示す図
【図９】第１の実施の形態の印刷物１における第１のユニット及び第２のユニットにレンチキュラーレンズ２を重ねた際に視認される濃度を示す図
【図１０】第１の実施の形態の印刷物１における各々のユニットにおける線Ｌ１上にレンチキュラーレンズ２の中心線７を重ねて観察した際に第１の不可視画像５が発現する状態を示す図
【図１１】本発明の第２の実施の形態における最小単位のユニットを示す図
【図１２】印刷物１に所定の角度で判別具を重ねた際に視認される第２の不可視画像６を示す図
【図１３】第２の実施の形態における印刷物１を複写機によって複写した複写物８を示す図
【図１４】第２の実施の形態における最小単位のユニットの変形例を示す図
【図１５】第２の実施の形態における最小単位のユニットがマトリクス状に形成された状態を示す図
【図１６】第２の実施の形態における印刷物１にレンチキュラーレンズ２を重ねて観察した状態を示す図
【図１７】第２の実施の形態における第１のユニット、第２のユニット、第３のユニット及び第４のユニットにレンチキュラーレンズ２を重ねた際に視認される濃度を示す図
【図１８】第２の実施の形態の印刷物１における各々のユニットの線Ｌ１にレンチキュラーレンズの中心線７を重ねて観察した際に視認される第１の不可視画像５を示す図
【図１９】第２の実施の形態の印刷物１における各々のユニットの線Ｌ３にレンチキュラーレンズの中心線７を重ねて観察した際に視認される第２の不可視画像６を示す図
【発明を実施するための形態】
【００３３】
本発明を実施するための形態について、図面を用いて説明する。しかしながら、本発明は、以下に述べる実施するための形態に限定されるものではなく、特許請求の範囲記載における技術的思想の範囲内であれば、その他のいろいろな実施の形態が含まれる。
【００３４】
本発明の偽造防止印刷物（以下「印刷物」という。）は、図１に示されたように、印刷物１に判別具２を重ねて観察することで、容易に不可視画像を発現させて真意性を判別することができるものであり、かつ、複写機を用いて印刷物１を複写した場合、通常の可視条件下において不可視化された不可視画像が可視画像と混ざり合って発現する効果を奏するものである。
【００３５】
本発明に用いる判別具２は、透明性を有するフィルタに複数の直線が万線状に一方向に沿って形成された万線フィルタ又はレンチキュラーレンズ等である。印刷物１の印刷模様３を通常の可視条件において目視により観察すると、図２に示されたように、任意の図形及び文字等からなる可視画像４が視認される。そして、印刷物１上に判別具２を所定の角度を持って重ね合わせると、図３に示されたような第１の不可視画像５が発現する。また、第１の不可視画像５の画像部を形成する領域と第１の不可視画像５の背景部を形成する領域との版構成の差異により、カラーコピー機等の複写機を用いて複写すると、図４に示されたように第１の不可視画像５が可視画像４に混ざって発現することで、複写防止効果を得ることができる。この理由は、後述にて説明する。
【００３６】
（第１の実施の形態）
以下に、本発明の第１の実施の形態における印刷物１について説明する。図５は、第１の実施の形態における印刷物を構成する最小単位の要素の構成（以下「ユニット」という。）を示すものであり、図５（ａ）は、第１の不可視画像５の画像部を形成する第１の要素Ａと可視画像４を形成する第３の要素Ｃを有する第１のユニットであり、図５（ｂ）は、第１の不可視画像５の背景部を形成する第２の要素Ａ´と可視画像４を形成する第３の要素Ｃを有する第２のユニットである。
【００３７】
第１のユニット及び第２のユニットの縦横の寸法Ｓはそれぞれ等しく、例えば、３４０μｍというように、１ｍｍ以下の大きさである。これらの最小単位のユニットをマトリクス状に配置することで、任意の可視画像４と第１の不可視画像５が形成される。なお、第１の実施の形態における印刷物１は、コート紙を基材とし、インクジェット印刷によりユニットの寸法Ｓを３４０μｍとした印刷模様３を形成したが、ユニットの寸法Ｓ、基材、印刷方法、印刷材料及び印刷装置等について何ら限定するものでない。
【００３８】
第１の不可視画像５の画像部を形成する第１の要素Ａと第１の不可視画像５の背景部を形成する第２の要素Ａ´は、各々のユニットにおいていずれか一方の要素が形成され、第１のユニットに第１の不可視画像５の画像部を形成する第１の要素Ａが形成され、第２のユニットに各々のユニットに形成された第１の要素Ａと等色として観察される第２の要素Ａ´が形成される。これらの関係とすることで、第１の不可視画像５は、印刷物１を目視により観察した際には第１の要素Ａと第２の要素Ａ´が等色として観察されるために視認されず、判別具２を第１の要素Ａ上に重ねて観察することで第１の不可視画像５を発現させることができる。
【００３９】
また、図５（ａ）及び図５（ｂ）に示す第１のユニット及び第２のユニットでは、第１の要素Ａを第１のユニットの中央に、第３の要素Ｃを各々のユニットにおける角部分に円形状の中心がくるように、それぞれ１／４の円形状を配置しているが、第１の要素Ａ上に判別具２の中心線７を重ねた際に拡大されない位置に第３の要素Ｃを形成することができれば特に限定されるものではなく、図６（ａ）のように、第１のユニットとして第１の要素Ａをユニットの中心を含む中心線Ｌ１方向に形成し、ユニットの上下部分に第３の要素Ｃを形成し、第２のユニットとして、第１のユニットと同様に、ユニットの上下に形成された第３の要素Ｃと、第３の要素Ｃを除く領域に形成された第２の要素Ａ´とする構成や、図６（ｂ）に示すように、第１のユニットとして、ユニットの角部分に円形状の中心がくるように、それぞれ１／４の円形状を配置した第１の要素Ａとし、ユニットの中心に第３の要素Ｃを形成し、第２のユニットとして、第１のユニットと同様に、ユニットの中心に第３の要素Ｃを形成し、第３の要素Ｃを除く領域に第２の要素Ａ´を形成する構成とする等、さまざまな配置が可能であり、第３の要素Ｃを第１の要素Ａが形成されたライン上に配置しないように形成すれば本発明の効果を得ることが可能である。
【００４０】
また、第１のユニットに形成された第１の要素Ａと第２のユニットに形成された第２の要素Ａ´は、カラー複写機で複写した場合、感光表面積の相違により第１の要素Ａ及び第２の要素Ａ´が異なる濃度で再現され、印刷物１上で不可視となっていた第１の不可視画像５が複写物８上に発現し、真正品と同様の可視状態が再現されない、すなわち、複写防止効果を備えるものである。
【００４１】
第３の要素Ｃは、可視画像４を形成するものであり、印刷物１上で第１の要素Ａ及び第２の要素Ａ´のいずれかを有するユニットがマトリクス状に形成された印刷領域３内において、任意の大きさ（濃度）で形成することで、連続階調を有する可視画像４を形成することができる。なお、本発明でいう可視画像４とは、印刷物１を通常の光源下で目視により観察した場合に視認される画像であり、不可視画像とは、通常の光源下で目視により観察した場合に視認されない又はほとんど視認されない画像のことである。
【００４２】
このような構成を有する第１のユニット及び第２のユニットを印刷物１上にマトリクス状に隙間なく、連続的、かつ、規則的に配置した状態を図７に示す。図７は、印刷物１に形成された印刷模様３を構成するマトリクス状に配置された複数のユニットを、第１の不可視画像５の構成が解るように簡易的に示した略式図である。
【００４３】
印刷模様３内において、各々のユニットから第３の要素Ｃを除いた面積中における第１のユニット及び第２のユニットの色（濃度）が等しい状態として観察されることで、第１の要素Ａ及び第２の要素Ａ´で形成された第１の不可視画像５が不可視となり、第３の要素Ｃで形成された可視画像４のみが視認される。
【００４４】
次に、第１の実施の形態における印刷物１に形成された第１の不可視画像５が観察される状態について図８〜図１０を用いて説明する。図８は、第１の実施の形態における印刷物１にレンチキュラーレンズから成る判別具２を重ねて観察した状態を示すものであり、レンチキュラーレンズの中心線７によって拡大された第１の要素Ａの集合により、第１の不可視画像５が観察される。
【００４５】
印刷物１上にレンチキュラーレンズから成る判別具２を重ねることで可視画像４が消失し、第１の不可視画像５が発現する原理について説明する。印刷物１上に形成された各々のユニットにおける線Ｌ１上にレンチキュラーレンズの中心線７が一致するように重ねて観察した場合、レンチキュラーレンズによって拡大される要素は、第１の要素Ａ及び第２の要素Ａ´となり、可視画像４を形成する第３の要素Ｃは、レンチキュラーレンズの中心線７からずれた位置に配置されていることから、観察されない状態となる。さらに、レンチキュラーレンズの中心線７上に形成された第１の要素Ａ及び第２の要素Ａ´は、レンチキュラーレンズの効果によって拡大されるが、レンチキュラーレンズによって拡大される要素における濃度は、第１の要素Ａの方が高いことから、第１の要素Ａによって形成された第１の不可視画像５が発現する。よって、レンチキュラーレンズを重ねて観察することで可視画像４が消失し、第１の不可視画像５が発現する、いわゆる、スイッチ効果を創出するものである。
【００４６】
ここで、レンチキュラーレンズの中心線７を重ねる位置に形成された第１の要素Ａ及び第２の要素Ａ´の濃度差によって、第１の不可視画像５が観察される原理について、より詳細に説明する。図９は、第１のユニット及び第２のユニットに、ユニットの線Ｌ１とレンチキュラーレンズの中心線７が一致するように重ねた状態で視認される濃度を示すものである。第１のユニットは、レンチキュラーレンズの中心によって拡大される第１の要素Ａの濃度が高いことから、視認性の高い要素として拡大されるが、第２のユニットにおいて拡大される第２の要素Ａ´は、第１の要素Ａよりも低い濃度であることから、第２の要素Ａ´を背景とする第１の要素Ａで形成された第１の不可視画像５が発現するものである。
【００４７】
前述したように、第１の実施の形態における印刷物１は、第１のユニットと第２のユニットを有しているが、第１のユニットに形成される第１の要素Ａを高濃度の要素に、第２のユニットに形成される第２の要素Ａ´を低濃度の要素としているため、第１のユニットに形成される第１の要素Ａは、第１のユニットにおける第３の要素Ｃが形成される面積中、１０〜４０％の面積に形成する必要があり、第２のユニットに形成される第２の要素Ａ´は、第２のユニットにおける第３の要素Ｃを除く面積中、５０〜１００％の面積に形成する必要がある。これにより、第１のユニットに形成された高濃度の第１の要素Ａと第２のユニットに形成された低濃度の第２の要素Ａを、可視光下では等色、判別具２を重ねたときには、第１の要素Ａの濃度と第２の要素Ａ´の濃度差によって、拡大された第１の要素Ａによって形成された第１の不可視画像５を観察することができる関係とすることができる。
【００４８】
第１のユニットに形成された第１の要素Ａの面積が１０％に満たない場合は判別具２によって拡大される要素の面積が小さくなるため、第１の不可視画像５として再現できる画像が制限される。また、第１の要素Ａの面積が４０％を超える場合、第１の要素Ａと等色として再現する第２の要素Ａ´の濃度が高くなることで、判別具２によって拡大される第１の要素Ａと第２の要素Ａ´の濃度差が少なくなり、第１の不可視画像５の視認性が低下するため、好ましくない。
【００４９】
同様に、第２のユニットに形成された第２の要素Ａ´の面積が５０％に満たない場合、第１の要素Ａと等色として再現する第２の要素Ａ´の濃度が高くなることで、判別具２によって拡大される第１の要素Ａと第２の要素Ａ´の濃度差が少なくなり、第１の不可視画像５の視認性が低下するため、好ましくない。よって、第１の要素Ａの面積を１０〜４０％、第２の要素Ａ´の面積を５０〜１００％とすることで、可視光下での第１の不可視画像５の隠蔽性を確保し、かつ、第１の不可視画像５の視認性を得ることができる。
【００５０】
図１０は、第１のユニット及び第２のユニットをマトリクス状に任意の配置によって形成した印刷模様３に、所定の角度、より具体的には、図５における線Ｌ１とレンチキュラーレンズの中心線７が一致するように重ねて観察した状態を示すものである。このときに、レンチキュラーレンズの中心線７に位置するのは、第１の要素Ａ及び第２の要素Ａ´であることから、レンチキュラーレンズの特性によって第１の要素Ａ及び第２の要素Ａ´が膨張して見えるため、目視では、図１０（ｂ）に示す「Ａ」の文字が形成された第１の不可視画像５が観察される。一方、可視画像４を形成する第３の要素Ｃは、レンチキュラーレンズの中心線７と半ピッチずれた（中心線より最も遠い）線Ｌ２と一致する位置に配置されていることから、レンチキュラーレンズの特性により第３の要素Ｃは収縮し、ほとんど視認されない状態となることから、印刷物１上にレンチキュラーレンズを重ねて観察することで、可視画像４と全く異なる第１の不可視画像５にスイッチして観察される。
【００５１】
判別具２は、レンチキュラーレンズにかかわらず、例えば、万線フィルタであっても同様の効果が得られる。この万線フィルタの場合は、フィルタ上の万線に該当する部分が可視画像４を構成する第３の要素Ｃを隠蔽することで、不可視画像を構成する第１の要素Ａのみが強調される状態とすることができるが、可視画像４を構成する第３の要素Ｃを完全に隠蔽することはできないことから、可視画像４が若干視認されてしまうことがある。ただし、これによって本発明の効果を損なうことはないため、簡易的な判別を行うには、万線フィルタを用いても充分な判別効果を得ることができる。なお、後述する第２の実施の形態についても同様である。
【００５２】
また、第１の実施の形態における印刷物１の可視画像４については、レンチキュラーレンズの中心線７からずれた位置に形成された第３の要素Ｃを任意に配置することができることから、不可視画像の発現時の視認性を阻害することなく、自由度が高い鮮明な可視画像４を形成することができる。また、印刷物１上に形成された第１の要素Ａ、第２の要素Ａ´及び第３の要素Ｃを同一色とした単色印刷のみでも充分な偽造防止効果が得られるため、オフセット印刷等の１度刷りの印刷方式でも印刷物を得ることが可能であることから、刷り合わせを考慮せず、あらゆる印刷物において有用である。
【００５３】
さらに、第１の実施の形態における印刷物１は、特許文献１のように、印刷物をカラー複写機で複写した複製物においても、真正品と同様の可視画像４及び不可視画像を再現するものではなく、第１の不可視画像５を形成する第１の要素Ａと第２の要素Ａ´における版構成の差異により、複写機を用いた際の感光表面積の差を発生させ、複写物８の可視画像５上に第１の不可視画像５を発現させることができることから、特許文献１の印刷物における課題であった複写防止効果を有する。
【００５４】
（第２の実施の形態）
本発明の第２の実施の形態における印刷物について、図面を用いて説明する。第２の実施の形態における印刷物１は、第１の実施の形態における印刷物１とは異なり、印刷物１上に所定の角度で判別具２を重ねた際に第１の不可視画像５が観察され、更には所定の角度と異なる角度で判別具２を重ねた際に第１の不可視画像５と異なる第２の不可視画像６が観察されるものである。
【００５５】
図１１は、第２の実施の形態における印刷物１の最小単位のユニットを示すものであり、可視画像４、第１の不可視画像５及び第２の不可視画像６を形成する４種類のユニットによって形成される。図１１（ａ）は、第１の不可視画像５の画像部を形成する第１の要素Ａと、第２の不可視画像６の背景部を形成する第５の要素Ｂ´と、可視画像４を形成する第３の要素Ｃを有する第１のユニットであり、図１１（ｂ）は、第２の不可視画像６の画像部を形成する第４の要素Ｂと、第１の不可視画像５の背景部を形成する第２の要素Ａ´と、可視画像４を形成する第３の要素Ｃを有する第２のユニットであり、図１１（ｃ）は、第１の不可視画像５と第２の不可視画像６の画像部を形成する第６の要素ＡＢと、可視画像４を形成する第３の要素Ｃを有する第３のユニットであり、図１１（ｄ）は、第１の不可視画像５及び第２の不可視画像６の背景部を形成する第７の要素Ａ´Ｂ´と、可視画像４を形成する第３の要素Ｃを有する第４のユニットである。
【００５６】
図１１に示す各々のユニットにおける縦横の寸法Ｓはそれぞれ等しく、例えば、３４０μｍというように１ｍｍ以下の大きさである。これらの要素が、印刷物１の表面上においてマトリクス状に規則的に配置される。マトリクス状に配置された第１のユニット、第２のユニット、第３のユニット及び第４のユニットにおける第３の要素Ｃが形成された領域を除く部分については、全てのユニットが等色として観察される状態である。なお、第２の実施の形態における印刷物１は、コート紙を基材とし、グラビア印刷によりユニットの寸法Ｓを３４０μｍとした印刷模様３を形成したが、ユニットの寸法Ｓ、基材、印刷方法、印刷材料及び印刷装置等について何ら限定するものでない。
【００５７】
第１のユニット及び第２のユニットにおいて形成される第１の不可視画像５の画像部を形成する第１の要素Ａ及び背景部を形成する第２の要素Ａ´と、第２の不可視画像６の画像部を形成する第４の要素Ｂ及び背景部を形成する第５の要素Ｂ´は、各々のユニットにおいて等色の関係にあり、第１のユニットに第１の不可視画像５を形成する第１の要素Ａと第２の不可視画像６の背景部を形成する第５の要素Ｂ´が形成され、第２のユニットに第２の不可視画像６の画像部を形成する第４の要素Ｂと第１の不可視画像５の背景部を形成する第２の要素Ａ´が形成される。
【００５８】
また、第３のユニット及び第４のユニットにおいて形成された第１の不可視画像５及び第２の不可視画像６の画像部を形成する第６の要素ＡＢと、第１の不可視画像５及び第２の不可視画像６の背景部を形成する第７の要素Ａ´Ｂ´は等色の関係にあり、第３のユニットに第６の要素ＡＢが形成され、第４のユニットに第７の要素Ａ´Ｂ´が形成される。
【００５９】
さらに、第１のユニットに形成された第１の要素及び第５の要素Ｂ´と、第２のユニットに形成された第２の要素Ａ´及び第４の要素Ｂと、第３のユニットに形成された第６の要素ＡＢと、第４のユニットに形成された第７の要素Ａ´Ｂ´は、等色として観察される。これにより、印刷物１上に形成された第１の不可視画像５の画像部を形成する第１の要素Ａ及び第６の要素ＡＢと、第２の不可視画像６を形成する第４の要素Ｂ及び第６の要素ＡＢを隠蔽することができ、第１のユニット、第２のユニット、第３のユニット及び第４のユニットに形成された第１の要素Ａ、第２の要素Ａ´第４の要素Ｂ、第５の要素Ｂ´、第６の要素ＡＢ及び第７の要素Ａ´Ｂ´がフラットな同一色（例えば、グレーの背景）として観察される。
【００６０】
これらの関係とすることで、印刷物１を目視で観察した場合に、第１の不可視画像５及び第２の不可視画像６を形成する第１の要素Ａ、第２の要素Ａ´第４の要素Ｂ、第５の要素Ｂ´、第６の要素ＡＢ及び第７の要素Ａ´Ｂ´は、同一色として観察されることで、第３の要素Ｃで形成された図２に示す可視画像４のみが観察され、各々のユニットにおける線Ｌ１上に判別具２の中心線７が一致するように重ねて観察した場合に、中心線７上に位置する第１の要素Ａ及び第６の要素ＡＢ（第１の要素Ａと同等の部分）のみが同一濃度で膨張して観察されることで、図３に示す第１の不可視画像５が観察され、更には各々のユニットにおける線Ｌ３上に判別具２の中心線７が一致するように重ねて観察することで、中心線７上に位置する第４の要素Ｂ及び第６の要素ＡＢ（第４の要素Ｂと同等の部分）のみが同一濃度で膨張して観察されることで、図１２に示す第２の不可視画像６が観察される、すなわち、画像のスイッチ効果を得ることができる。
【００６１】
また、第１のユニット、第２のユニット、第３のユニット及び第４のユニットにおける第３の要素Ｃを除く領域は、目視上、同一濃度として観察されるが、カラー複写機等で複写した場合、第１の要素Ａ、第４の要素Ｂ及び第６の要素ＡＢに形成された高濃度の要素と、第２の要素Ａ´、第５の要素Ｂ´及び第７の要素Ａ´Ｂ´に形成された低濃度の要素における版構成の差、すなわち、感光表面積の相違により、図１３に示されたように通常の印刷物１において可視化されている可視画像４の他に、第１の不可視画像５及び第２の不可視画像６が発現した状態で再現されることから、真正品と同様の可視状態が再現されない、いわゆる、複写防止効果を備えるものである。
【００６２】
また、第２の実施の形態における印刷物１を構成する最小単位のユニットについては、図１１に示す構成により説明したが、第１の不可視画像５の画像部を形成する第１の要素Ａ及び第６の要素ＡＢ（第１の要素Ａと同等の部分）が形成された線Ｌ１上に第３の要素、第４の要素Ｂ及び第６の要素ＡＢ（第４の要素Ｂと同等の部分）を形成せず、第２の不可視画像６の画像部を形成する第４の要素Ｂ及び第６の要素（第４の要素Ｂと同等の部分）が形成された線Ｌ３上に第３の要素Ｃ、第１の要素Ａ及び第６の要素ＡＢ（第１の要素Ａと同等の部分）が重ならない構成とすれば、図１１の構成に限定されるものではなく、例えば、図１４（ａ）に示すように、第１のユニットにおける第１の要素Ａをユニットの線Ｌ１方向に形成し、ユニットの角部分に円形状の中心がくるように、それぞれ１／４の円形状を配置した第３の要素Ｃを形成し、第１の要素Ａ及び第３の要素Ｃ以外の領域に第５の要素Ｂ´を構成し、第２のユニットにおける第４の要素Ｂをユニットの線Ｌ３方向に形成し、ユニットの角部分に円形状の中心がくるように、それぞれ１／４の円形状を配置した第３の要素Ｃを形成し、第４の要素Ｂ及び第３の要素Ｃ以外の領域に第２の要素Ａ´を構成し、第３のユニットにおける線Ｌ１方向及び線Ｌ３方向に交差するように第６の要素ＡＢを形成し、ユニットの角部分に円形状の中心がくるように、それぞれ１／４の円形状を配置した第３の要素Ｃを形成し、第４のユニットにおける第３の要素Ｃをユニットの角部分に円形状の中心がくるように、それぞれ１／４の円形状を配置した第３の要素Ｃを形成し、第３の要素Ｃを除く領域に第７の要素Ａ´Ｂ´を形成する構成とすることができる。
【００６３】
また、判別具２を印刷物１に対して同一の方向に重ね、かつ、ユニットの線Ｌ１上に第１の不可視画像５の画像部を形成する第１の要素Ａを形成し、ユニットの線Ｌ２上に第２の不可視画像６の画像部を形成する第４の要素Ｂを形成とすることで、可視画像４、第１の不可視画像５及び第２の不可視画像６を形成する構成とすることができる。これらの同一方向に重ねた判別具２の位置をずらすことで第１の不可視画像５及び第２の不可視画像６を観察することができる構成は、図１４（ｂ）に示すように、第１のユニットに、ユニットの上部に形成された第１の要素Ａと、ユニットの下部方向に形成された第５の要素Ｂ´と、第１の要素Ａ及び第５の要素Ｂ´を挟む位置に第３の要素Ｃを形成し、第２のユニットに、ユニットの上部に形成された第２の要素Ａ´と、ユニットの下部方向に形成された第４の要素Ｂと、第２の要素Ａ´と第４の要素Ｂを挟む位置に第３の要素を形成し、第３のユニットに、ユニットの上部に形成された第１の要素Ａと、ユニットの下部方向に形成された第４の要素Ｂと、第１の要素Ａ及び第４の要素Ｂを挟む位置に第３の要素Ｃを形成し、第４のユニットに、ユニットの上部に第２の要素Ａ´、ユニットの下部方向に第５の要素Ｂ´、第２の要素Ａ´及び第５の要素Ｂ´を挟む位置に第３の要素Ｃを形成する構成等、さまざまな構成とすることができ、これらの構成も本発明の範囲内である。
【００６４】
また、第２の実施の形態における印刷物の第３の要素Ｃは、第１の不可視画像５を形成する線Ｌ１上、第２の不可視画像６を形成する線Ｌ３上（図１４（ｂ）の構成では、線Ｌ２）からずれた位置に形成されれば、任意の大きさ（濃度）で形成することができ、これにより、連続階調を有する可視画像４を形成することができる。なお、本発明でいう可視画像４とは、印刷物１を通常の光源下で目視により観察した場合に視認される画像であり、不可視画像とは、通常の光源下で目視により観察した場合に視認されない又はほとんど視認されない画像のことである。
【００６５】
このような構成を有する第１のユニット、第２のユニット、第３のユニット及び第４のユニットを印刷物１上にマトリクス状に隙間なく、連続的、かつ、規則的に配置した状態を図１５に示す。図１５（ａ）は、印刷物１に形成された印刷模様３を構成するマトリクス状に配置された複数のユニットを、第１の不可視画像５の構成が解るように簡易的に示した略式図であり、図１５（ｂ）は、第２の不可視画像６の構成が解るように簡易的に示した略式図である。
【００６６】
これらの構成とすることで、各々のユニットに形成された第３の要素Ｃによって可視画像４が形成され、第１のユニットに形成された第１の要素Ａ及び第３のユニットに形成された第６の要素ＡＢ（第１の要素Ａと同等の部分）によって第１の不可視画像５が形成され、第２のユニットにおける第４の要素Ｂ及び第３のユニットにおける第６の要素ＡＢ（第４の要素Ｂと同等の部分）によって第２の不可視画像６が形成される。
【００６７】
図１６は、第２の実施の形態における印刷物１に、例えば、レンチキュラーレンズから成る判別具２を重ね合わせ、判別具２を重ねた状態の印刷物１を正面から目視で観察することによって、第１の不可視画像５又は第２の不可視画像６を観察する状態を示すものである。
【００６８】
第２の実施の形態における印刷物１は、可視画像４と２種類の不可視画像が形成されたものであるが、第１のユニットに形成された第１の要素Ａ及び第５の要素Ｂ´と、第２のユニットに形成された第２の要素Ａ´及び第４の要素Ｂと、第３のユニットに形成された第６の要素ＡＢと、第４のユニットに形成された第７の要素Ａ´Ｂ´は、等色として観察されることから、第１の不可視画像５及び第２の不可視画像６は観察されず、第３の要素Ｃで形成された可視画像４のみが観察される。
【００６９】
一方、図１１における線Ｌ１上にレンチキュラーレンズの中心線７が一致するように重ねて観察した場合にレンチキュラーレンズによって拡大される要素は、第１の要素Ａ、第２の要素Ａ´、第６の要素ＡＢ（第１の要素Ａと同等の部分）及び第７の要素Ａ´Ｂ´となり、可視画像４を形成する第３の要素Ｃ及び第２の不可視画像６の画像部を形成する第４の要素Ｂ及び第６の要素ＡＢ（第４の要素Ｂと同等の部分）は、レンチキュラーレンズの中心線７からずれた位置に配置されていることから、観察することができない状態となる。さらに、第１の不可視画像５の背景部を形成する第２の要素Ａ´及び第７の要素Ａ´Ｂ´は、レンチキュラーレンズの効果によって拡大されるが、レンチキュラーレンズによって拡大される要素における濃度は、第１の不可視画像５の画像部を形成する第１の要素Ａ及び第６の要素ＡＢ（第１の要素Ａと同等の部分）の方が高いことから、第１の要素Ａ及び第６の要素ＡＢ（第１の要素Ａと同等の部分）によって形成された第１の不可視画像５が発現する。よって、レンチキュラーレンズを重ねて観察することで可視画像４が消失し、第１の不可視画像５が発現する、いわゆる、スイッチ効果を創出するものである。
【００７０】
また、図１１における線Ｌ３（図１４（ｂ）の構成の場合、線Ｌ２）上にレンチキュラーレンズの中心線７が一致するように重ねて観察した場合にレンチキュラーレンズによって拡大される要素は、第４の要素Ｂ、第５の要素Ｂ´、第６の要素ＡＢ（第４の要素Ｂと同等の部分）及び第７の要素Ａ´Ｂ´となり、可視画像４を形成する第３の要素Ｃ及び第１の不可視画像５の画像部を形成する第１の要素Ａ及び第６の要素ＡＢ（第１の要素Ａと同等の部分）は、レンチキュラーレンズの中心線７からずれた位置に配置されていることから、観察することができない状態となる。さらに、第２の不可視画像６の背景部を形成する第５の要素Ｂ´及び第７の要素Ａ´Ｂ´は、レンチキュラーレンズの効果によって拡大されるが、レンチキュラーレンズによって拡大される要素における濃度は、第２の不可視画像６の画像部を形成する第４の要素Ｂ及び第６の要素ＡＢ（第４の要素Ｂと同等の部分）の方が高いことから、第４の要素Ｂ及び第６の要素ＡＢ（第４の要素Ｂと同等の部分）によって形成された第２の不可視画像６が発現する。よって、レンチキュラーレンズを重ねて観察することで可視画像４が消失し、第２の不可視画像６が発現する、いわゆる、スイッチ効果を創出するものである。
【００７１】
ここで、第１のユニット、第２のユニット、第３のユニット及び第４のユニットにおける第３の要素Ｃが形成された領域を除く各々のユニットが同一の濃度として観察され、更には、レンチキュラーレンズを重ねることで、異なる濃度として観察される原理について説明する。
【００７２】
図１７は、第１のユニット、第２のユニット、第３のユニット及び第４のユニットの各々のユニットにおいて、線Ｌ１にレンチキュラーレンズの中心線７が一致するように重ねた際に観察される要素の視認濃度を示すものである。図１７（ａ）に示す第１のユニットは、レンチキュラーレンズの中心線７部分に、高濃度の第１の要素Ａと低濃度の第５の要素Ｂ´の一部が形成されていることから、高濃度の第１の要素Ａが拡大されて視認濃度が高い状態となる。図１７（ｂ）に示す第２のユニットは、レンチキュラーレンズの中心線７に高濃度の第４の要素Ｂの一部と低濃度の第２の要素Ａ´が形成されていることから、レンチキュラーレンズによって拡大される領域は低濃度となる。
【００７３】
また、図１７（ｃ）に示す第３のユニットは、レンチキュラーレンズの中心線７部分に第６の要素ＡＢが形成されていることから、高濃度の第６の要素ＡＢが拡大されて視認濃度が高い状態となる。図１７（ｄ）に示す第４のユニットは、レンチキュラーレンズの中心線７に低濃度の第７の要素Ａ´Ｂ´が形成されていることから、レンチキュラーレンズによって拡大される領域は低濃度となる。よって、線Ｌ１にレンチキュラーレンズの中心線７が重なる状態で観察した場合、第１のユニット及び第６のユニットに形成された第１の不可視画像５の画像部のみが高濃度で拡大されることから、第１の不可視画像５を鮮明に発現させることができる。なお、線Ｌ３（図１４（ｂ）の構成では、線Ｌ２）にレンチキュラーレンズの中心線７が重なる状態で観察した状態は、前述した第１の不可視画像５が観察される原理と同様の原理により、第２の不可視画像６の画像部を形成する第４の要素Ｂ及び第６の要素ＡＢが高濃度で拡大されることで、第２の不可視画像６が観察される。
【００７４】
前述したように、第２の実施の形態における印刷物１は、第１のユニット、第２のユニット、第３のユニット及び第４のユニットを有しているが、第１のユニットに形成される第１の要素Ａ、第２のユニットに形成される第４の要素Ｂ及び第３のユニットに形成される第６の要素ＡＢを高濃度の要素で形成し、第１のユニットに形成される第５の要素Ｂ´、第２のユニットに形成される第２の要素Ａ´及び第４のユニットに形成される第６の要素Ａ´Ｂ´を低濃度の要素で形成することで、可視光下では各々のユニットに形成された第３の要素Ｃを除く全てのユニットを等色として観察される状態とし、線Ｌ１上に判別具２の中心線７を重ねることで第１の不可視画像５のみが観察される状態とし、更には線Ｌ３上に判別具２を重ねて観察することで第２の不可視画像６のみが観察される状態とすることができる。
【００７５】
ここで、各々のユニットの第３の要素Ｃが形成される領域を除く面積において形成される各々の要素の面積について説明する。判別具２を重ねることで第１の不可視画像５及び第２の不可視画像６の画像部を形成する第１の要素Ａ及び第４の要素Ｂは、各々のユニットにおける第３の要素Ｃが形成された領域を除く面積中、１０〜３０％の面積に高濃度の要素が形成される。また、第３のユニットに形成される第６の要素ＡＢは、第１の不可視画像５及び第２の不可視画像６の双方の画像部を形成するため、第３の要素Ｃが形成される領域を除く面積中、２０〜６０％の面積に高濃度の要素が形成される。これにより、第１の要素Ａ及び第６の要素ＡＢ（第１の要素Ａに相当する部分）によって第１の不可視画像５が形成され、第４の要素Ｂ及び第６の要素ＡＢ（第４の要素Ｂに相当する部分）によって形成された第２の不可視画像６が形成される。
【００７６】
第１の要素Ａ及び第４の要素Ｂが１０％に満たない面積に形成され、さらに、第６の要素ＡＢが２０％に満たない面積に形成された場合、判別具２によって拡大される第１の要素Ａ、第４の要素Ｂ及び第６の要素ＡＢの面積が小さくなるため、第１の不可視画像５及び第２の不可視画像６として再現できる画像が制限される。また、第１の要素Ａ及び第４の要素Ｂが３０％を超える場合、第１の要素Ａと等色として再現する第２の要素Ａ´の濃度が高くなり、第４の要素Ｂと等色として再現する第５の要素ｂ´の濃度が高くなり、更には第６の要素ＡＢと等色として再現する第７の要素Ａ´Ｂ´の濃度が高くなることで、判別具２によって拡大される高濃度の要素と低濃度の要素の濃度差が少なくなり、第１の不可視画像５及び第２の不可視画像６の視認性が低下するため、好ましくない。
【００７７】
また、第１の不可視画像５及び第２の不可視画像６の背景部を形成する第２の要素Ａ´及び第５の要素Ｂ´は、各々のユニットにおける第３の要素Ｃが形成された領域を除く面積中、５０〜９０％の面積に、第１の要素Ａと等色として観察される低濃度の第２の要素Ａ´と、第４の要素Ｂと等色として観察される低濃度の第５の要素Ｂ´として形成される。さらに、第１の不可視画像５及び第２の不可視画像６の双方の背景部を形成する第７の要素Ａ´Ｂ´は、各々のユニットにおける第３の要素Ｃが形成された領域を除く面積中、７０〜１００％の面積に、第６の要素ＡＢと等色として観察される低濃度の第７の要素Ａ´Ｂ´として形成される。
【００７８】
第２の要素Ａ´及び第５の要素Ｂ´が５０％に満たない面積により形成され、さらに、第７の要素Ａ´Ｂ´が７０％に満たない面積に形成された場合、第１の要素Ａと等色として再現する第２の要素Ａ´の濃度が高くなり、第４の要素Ｂと等色として再現する第５の要素Ｂ´の濃度が高くなり、更には第６の要素ＡＢと等色として再現する第７の要素Ａ´Ｂ´の濃度が高くなることで、判別具２によって拡大される高濃度の第１の要素Ａ、第４の要素Ｂ及び第６の要素ＡＢと、低濃度の第２の要素Ａ´、第５の要素Ｂ´及び第７の要素Ａ´Ｂ´の濃度差が少なくなり、第１の不可視画像５及び第２の不可視画像６の視認性が低下するため、好ましくない。よって、第１の要素Ａ及び第４の要素Ｂの面積を１０〜３０％とし、第６の要素ＡＢの面積を２０〜６０％とし、第２の要素Ａ´及び第５の要素Ｂ´の面積を５０〜９０％とし、第７の要素Ａ´Ｂ´の面積を７０〜１００％とすることで、可視光下での第１の不可視画像５及び第２の不可視画像６の隠蔽性を確保し、かつ、第１の不可視画像５及び第２の不可視画像６の視認性を得ることができる。
【００７９】
さらに、図１４（ｂ）に示すユニットを用いた場合については、同様の理由により、第１の要素Ａ及び第４の要素Ｂの面積を、各々のユニットにおける第３の要素Ｃが形成された領域を除く面積中、１０〜３０％の面積で形成し、第２の要素Ａ´及び第５の要素Ｂ´の面積を、各々のユニットにおける第３の要素Ｃが形成された領域を除く面積中、３０〜５０％の面積で形成することで、可視光下では可視画像４のみが観察され、線Ｌ１上に判別具２の中心線７が重なる状態で観察した場合、第１の不可視画像５のみが観察され、更には、線Ｌ２上に判別具２の中心線７が重なる状態で観察した場合、第２の不可視画像６のみが観察される状態とすることができる。
【００８０】
図１８は、第１のユニット、第２のユニット、第３のユニット及び第４のユニットをマトリクス状に任意に配置することで、可視画像４、第１の不可視画像５及び第２の不可視画像６が形成された印刷物１を示すものであり、各々のユニットにおける線Ｌ１上にレンチキュラーレンズの中心線７を重ねた状態で観察される第１の不可視画像５を示すものである。レンチキュラーレンズの中心線７によって拡大される要素は、第１の不可視画像５の画像部を形成する第１の要素Ａと、第６の要素ＡＢ（第１の要素Ａに相当する部分）が膨張して視認されるため、図１８（ｂ）のように、文字「Ａ」からなる第１の不可視画像５が観察される。その際、可視画像４を形成する第３の要素Ｃは、図１１における線Ｌ１より半ピッチずれた(中心線より最も遠い)線Ｌ２（図１４（ｂ）の構成では、第１の要素Ａと第５の要素Ｂ´を挟む位置か、第２の要素Ａ´と第４の要素Ｂを挟む位置か、第１の要素Ａと第４の要素Ｂを挟む位置か、第２の要素Ａ´と第５の要素Ｂ´を挟む位置）と一致するため、レンチキュラーレンズの特性により、第３の要素Ｃは収縮し、ほとんど視認されない状態となることから、印刷物１上にレンチキュラーレンズを重ねて観察することで、可視画像４と全く異なる第１の不可視画像５にスイッチして観察される。
【００８１】
また、図１９は、第１のユニット、第２のユニット、第３のユニット及び第４のユニットをマトリクス状に任意に配置することで、可視画像４、第１の不可視画像５及び第２の不可視画像６が形成された印刷物１を示すものであり、各々のユニットにおける線Ｌ３（図１４（ｂ）の構成では、線Ｌ２）上にレンチキュラーレンズの中心線７を重ねた状態を示すものである。レンチキュラーレンズの中心線７によって拡大される要素は、第２の不可視画像６の画像部を形成する第４の要素Ｂと、第６の要素ＡＢ（第４の要素Ｂに相当する部分）が膨張して視認されるため、図１９（ｂ）のように、文字「Ｂ」からなる第２の不可視画像６が観察される。その際、可視画像４を形成する第３の要素Ｃは、図１１における線Ｌ３より半ピッチずれた(中心線より最も遠い)線Ｌ４（図１４（ｂ）の構成では、第１の要素Ａと第５の要素Ｂ´を挟む位置か、第２の要素Ａ´と第４の要素Ｂを挟む位置か、第１の要素Ａと第４の要素Ｂを挟む位置か、第２の要素Ａ´と第５の要素Ｂ´を挟む位置）と一致するため、レンチキュラーレンズの特性により、第３の要素Ｃは収縮し、ほとんど視認されない状態となることから、印刷物１上にレンチキュラーレンズを重ねて観察することで、可視画像４と全く異なる第２の不可視画像６にスイッチして観察される。
【００８２】
第２の実施の形態で用いた判別具は、第１の実施の形態と同様に、レンチキュラーレンズにかかわらず、例えば、万線フィルタであっても同様の効果が得られる。この万線フィルタの場合は、フィルタ上の万線に該当する部分が可視画像４を構成する第３の要素Ｃを隠蔽することで、第１の不可視画像５の画像部を構成する第１の要素Ａ及び第６の要素ＡＢ（第１の要素Ａに相当する部分）又は第２の不可視画像６の画像部を構成する第４の要素Ｂ及び第６の要素ＡＢ（第４の要素Ｂに相当する部分）が強調して視認される状態とすることができるが、可視画像４を構成する第３の要素Ｃを完全に隠蔽することはできないことから、可視画像４が若干視認されてしまうことがある。ただし、これによって本発明の効果を損なうことはないため、簡易的な判別を行うには、万線フィルタを用いても充分である。
【００８３】
また、第２の実施の形態では、可視画像４と二種類の不可視画像（判別具を０°の位置に重ねた際に視認される第一の不可視画像５と、９０°の位置に重ねた場合に視認される第２の不可視画像６）が形成された印刷物について説明したが、不可視画像を３つ（０°、４５°及び９０°）以上形成することも可能であり、二種類以上の不可視画像を本発明の構成により形成された印刷物は本発明の範囲内である。
【００８４】
また、第１の不可視画像５と第２の不可視画像６を異なる色で形成することも可能であり、その場合、第１の要素Ａと第２の要素Ａ´を同色とし、第４の要素Ｂと第５の要素を同色とし、第６の要素ＡＢにおける第１の要素Ａに相当する部分を第１の要素Ａと同色に、第６の要素ＡＢにおける第４の要素Ｂに相当する部分を第４の要素Ｂと同色に、第７の要素Ａ´Ｂ´を第２の要素Ａ´及び第５の要素Ｂ´が混ざり合った色で形成することで、第１のユニット、第２のユニット、第３のユニット及び第４のユニットを目視で観察した際の色及び濃度を同一の状態とすることができ、かつ、異なる色の第１の不可視画像５及び第２の不可視画像６を発現させることができる。
【００８５】
さらに、本発明の印刷物は、連続階調を有する可視画像４を形成することが可能であることから、顔写真等の画像を入力する画像入力手段と、不可視画像の基となる不可視画像データを入力する不可視画像入力手段と、画像入力手段及び不可視画像入力手段により入力された画像データを本発明のユニットに構成する処理手段と、各々のユニットに処理された要素データをプリンタ等の出力機で出力する出力手段を少なくとも有する装置を用いることで、写真画像内に複数の不可視画像を有する印刷物を出力することができるオンデマンド印刷システムにより出力することも可能であり、これらの構成で出力された印刷物についても本発明の範囲内である。
【符号の説明】
【００８６】
１          印刷物
２          判別具
３          印刷模様
４          可視画像
５          第１の不可視画像
６          第２の不可視画像
７          中心線
８          複写物
Ａ          要素
Ａ´        要素
Ｂ          要素
Ｂ´        要素
ＡＢ        要素
Ｃ          要素
Ｌ１        線
Ｌ２        線
Ｌ３        線
Ｌ４        線
【図１】
2015116708.tif 000003
【図２】
2015116708.tif 000004
【図３】
2015116708.tif 000005
【図４】
2015116708.tif 000006
【図５】
2015116708.tif 000007
【図６】
2015116708.tif 000008
【図７】
2015116708.tif 000009
【図８】
2015116708.tif 000010
【図９】
2015116708.tif 000011
【図１０】
2015116708.tif 000012
【図１１】
2015116708.tif 000013
【図１２】
2015116708.tif 000014
【図１３】
2015116708.tif 000015
【図１４】
2015116708.tif 000016
【図１５】
2015116708.tif 000017
【図１６】
2015116708.tif 000018
【図１７】
2015116708.tif 000019
【図１８】
2015116708.tif 000020
【図１９】
2015116708.tif 000021